(57)【特許請求の範囲】
【請求項１】
被写体の撮影、及び撮影データの編集を行う機能を有し、本体装置に対して複数の姿勢を取り得る、撮影した、あるいは編集した画像を表示する表示装置を設けてなる電子カメラ記録再生装置において、
前記本体装置はレンズを備え、
前記表示装置は、表示画面及び該表示画面の周囲に配置された操作釦を備え、
前記表示装置は、
前記レンズの軸線上に平行で、該表示装置の表示画面が前記本体装置の側面に対向せられて、該表示装置の裏面が露出している収納姿勢と、
該表示装置が該本体装置の側面から前記レンズの軸線上に直交した状態で、かつファインダーとして使用するために該表示装置の表示画面と操作釦とが開放された撮影姿勢と、
該表示装置の表示画面と操作釦とが、前記本体装置の側面に前記レンズの軸線上に平行で、かつ外部に編集用に使用する画面として露出する編集姿勢とを有するものであり、
前記表示装置が、前記収納姿勢，撮影姿勢，及び編集姿勢の各々の姿勢であることを認識する姿勢認識手段と、
該姿勢認識手段が、前記表示装置が、前記収納姿勢，撮影姿勢，及び編集姿勢の各々の姿勢であることを認識したとき、前記本体装置を、それぞれ電源オフ状態，撮影可能状態，あるいは編集可能状態にするモード切換手段とを備えた、
ことを特徴とする電子カメラ記録再生装置。
【請求項２】
請求項１に記載の電子カメラ記録再生装置において、
前記操作釦は、前記表示画面の周囲に複数配置されており、
該複数の各操作釦は、前記撮影姿勢、及び編集姿勢において、前記撮影姿勢、及び編集姿勢における撮影、編集の各動作に対応して使用されるものである、
ことを特徴とする電子カメラ記録再生装置。
【請求項３】
請求項２に記載の電子カメラ記録再生装置において、
前記モード切換手段は、前記撮影姿勢と前記編集姿勢とのそれぞれの姿勢における前記操作釦の機能説明を、前記表示画面上に前記操作釦の位置に対応して表示するものである、
ことを特徴とする電子カメラ記録再生装置。
【請求項４】
請求項３に記載の電子カメラ記録再生装置において、
他の機器のシステムデータを記憶した外部記憶装置を搭載する搭載手段と、
前記外部記憶装置が前記搭載手段に搭載されたことを認識する搭載認識手段と、
前記外部記憶装置に記憶されたシステムデータを記憶するシステムデータ記憶手段とを備えた、
ことを特徴とする電子カメラ記録再生装置。
【発明の詳細な説明】
【０００１】
【発明の属する技術分野】
本発明は、撮影機能及び撮影データの編集機能を有する電子カメラ記録再生装置に関するものである。
【０００２】
【従来の技術】
従来、電子カメラ記録再生装置には、編集機能を有していない電子カメラ記録再生装置と、編集機能を有している電子カメラ記録再生装置とがあり、編集機能を有していない電子カメラ記録再生装置は、撮影した撮影データを編集する際には、パソコン等の機器を用いて編集する必要があった。
【０００３】
従来の電子カメラ記録再生装置の一例を図を用いて説明する。まず、従来の電子カメラ記録再生装置の構成を説明する。図９は従来の電子カメラ記録再生装置の構成を示す前方斜視図であり、図１０は従来の電子カメラ記録再生装置の構成を示す後方斜視図である。電子カメラ記録再生装置３００は、レンズ３０１、液晶画面３０２、操作釦３０３を備えている。
【０００４】
次に、従来の電子カメラ記録再生装置の動作について説明する。レンズ３０１を被写体に向けると液晶画面３０２上に被写体が映し出され、操作釦３０３によって撮影を行うことができる。撮影データを編集する場合は、パソコンと電子カメラ記録再生装置３００をケーブルにて接続し、編集用ソフトをパソコン上で起動させて、パソコン画面上で撮影データの編集を行う。
【０００５】
また、撮影データを編集する機能を有している電子カメラ記録再生装置は、その構造上の制約から編集作業が行いにくかった。さらに、本体をコンパクトにする必要があるため、設ける操作釦の数にも限界があった。そのため、編集作業を行うに必要となる各動作を増やすことは困難であった。また、撮影モードと、編集モードとの切換をするために、モード切換用の操作釦を設ける必要があった。また、液晶画面上にタッチパネルを設けて操作釦の数を増加させ、操作性を向上させたものもあるが、液晶画面に直接触れて操作するため、液晶画面ににじみが生じたり、液晶画面に指紋が付いて汚れるという問題があった。
【０００６】
【発明が解決しようとする課題】
本発明は、かかる事情に鑑みてなされたものでその目的は、撮影及び撮影データの編集が可能で、操作が簡単な電子カメラ記録再生装置を提供することである。
【０００７】
【課題を解決するための手段】
上記の課題を達成するため、本発明の請求項１に記載の電子カメラ記録再生装置は、被写体の撮影、及び撮影データの編集を行う機能を有し、本体装置に対して複数の姿勢を取り得る、撮影した、あるいは編集した画像を表示する表示装置を設けてなる電子カメラ記録再生装置において、前記本体装置はレンズを備え、前記表示装置は、表示画面及び該表示画面の周囲に配置された操作釦を備え、前記表示装置は、前記レンズの軸線上に平行で、該表示装置の表示画面が前記本体装置の側面に対向せられて、該表示装置の裏面が露出している収納姿勢と、該表示装置が該本体装置の側面から前記レンズの軸線上に直交した状態で、かつファインダーとして使用するために該表示装置の表示画面と操作釦とが開放された撮影姿勢と、該表示装置の表示画面と操作釦とが、前記本体装置の側面に前記レンズの軸線上に平行で、かつ外部に編集用に使用する画面として露出する編集姿勢とを有するものであり、前記表示装置が、前記収納姿勢，撮影姿勢，及び編集姿勢の各々の姿勢であることを認識する姿勢認識手段と、該姿勢認識手段が、前記表示装置が、前記収納姿勢，撮影姿勢，及び編集姿勢の各々の姿勢であることを認識したとき、前記本体装置を、それぞれ電源オフ状態，撮影可能状態，あるいは編集可能状態にするモード切換手段とを備えたことを特徴とする。
【０００８】
また、本発明の請求項２に記載の電子カメラ記録再生装置は、請求項１に記載の電子カメラ記録再生装置において、前記表示装置が、前記収納姿勢，撮影姿勢，及び編集姿勢の各々の姿勢であることを認識する姿勢認識手段と、該姿勢認識手段が、前記表示装置が、前記収納姿勢，撮影姿勢，及び編集姿勢の各々の姿勢であることを認識したとき、前記本体装置を、それぞれ電源オフ状態，撮影可能状態，あるいは編集可能状態にするモード切換手段とを備えたことを特徴とする。
【０００９】
また、本発明の請求項２に記載の電子カメラ記録再生装置は、請求項１に記載の電子カメラ記録再生装置において、前記操作釦は、前記表示画面の周囲に複数配置されており、該複数の各操作釦は、前記撮影姿勢、及び編集姿勢において、前記撮影姿勢、及び編集姿勢における撮影、編集の各動作に対応して使用されるものであることを特徴とする。
【００１０】
また、本発明の請求項３に記載の電子カメラ記録再生装置は、請求項２に記載の電子カメラ記録再生装置において、前記モード切換手段は、前記撮影姿勢と前記編集姿勢とのそれぞれの姿勢における前記操作釦の機能説明を、前記表示画面上に前記操作釦の位置に対応して表示するものであることを特徴とする。
【００１１】
また、本発明の請求項４に記載の電子カメラ記録再生装置は、請求項３に記載の電子カメラ記録再生装置において、他の機器のシステムデータを記憶した外部記憶装置を搭載する搭載手段と、記外部記憶装置が前記搭載手段に搭載されたことを認識する搭載認識手段と、前記外部記憶装置に記憶されたシステムデータを記憶するシステムデータ記憶手段とを備えたことを特徴とする。
【００１２】
【発明の実施の形態】
（実施の形態１）
本実施の形態１による電子カメラ記録再生装置について、図を用いて説明する。
まず、本実施の形態１による電子カメラ記録再生装置の構成について、図を用いて説明する。図１は本実施の形態１による電子カメラ記録再生装置の収納姿勢を示す前方斜視図であり、図２はその撮影姿勢を示す前方斜視図であり、図３はその後方斜視図であり、図４はその編集姿勢を示す側面投影図である。また、図５は撮影姿勢における表示装置の拡大図であり、図６は編集時の表示装置の拡大図であり、図７は本実施の形態１による電子カメラ記録再生装置の構成を示すブロック図である。
【００１３】
電子カメラ記録再生装置１５０は、本体装置１００とレンズ１０１と表示装置１０４からなる。表示装置１０４上には、表示画面である液晶画面１０２と操作釦１１〜１７が備えられ、液晶画面１０２は撮影時には被写体を映すファインダとして、編集時には撮影したデータの再生、編集に使用する画面として使用する。
【００１４】
操作釦１１〜１７は、液晶画面１０２の周囲に配置され、撮影に必要な各動作、編集に必要な各動作に対応して使用される。また、液晶画面１０２上には、操作釦１１〜１７の機能説明１０５が表示される。
【００１５】
また、表示装置１０４は、図１に示すように表示装置１０４の液晶画面１０２が本体装置１００の側面に対向せられて、表示装置１０４の裏面が露出している収納姿勢、図２、図３に示すように表示装置１０４が本体装置１００の側面から開放された撮影姿勢、及び図４に示すように液晶画面１０２が、本体装置１００の側面に平行で、かつ外部に露出する編集姿勢とを有する。
【００１６】
また、電子カメラ記録再生装置１５０は、表示装置１０４が前記収納姿勢、撮影姿勢、及び編集姿勢の、各々の姿勢であることを認識する姿勢認識手段である姿勢認識部１０６と、姿勢認識部１０６が表示装置１０４が前記収納姿勢、撮影姿勢、及び編集姿勢の、各々の姿勢であることを認識したとき、本体装置１００を、それぞれ電源オフ状態、撮影可能状態、あるいは編集可能状態にするモード切換手段であるモード切換部１０７と、モード切換部１０７からの信号を受けて電子カメラ記録再生装置１５０の各部を各状態に制御する制御部１０８とを備えている。
【００１７】
姿勢認識部１０６は、例えばセンサであり表示装置１０４の各姿勢信号を認識する。モード切換部１０７は、姿勢認識部１０６からの姿勢認識信号に応じて、電子カメラ記録再生装置１５０を前記各状態にするために制御部１０８に状態信号を送る。制御部１０８は電子カメラ記録再生装置１５０を前記各状態になるよう表示部１０４等の各部を制御する。
【００１８】
次に、本実施の形態１による電子カメラ記録再生装置の動作について図を用いて説明する。図１は収納姿勢であり、電子カメラ記録再生装置１５０は電源オフ状態となっている。
図１の収納姿勢で、表示装置１０４を本体装置１００から起こすと、図２、図３の撮影姿勢になる。電子カメラ記録再生装置１５０は撮影可能状態となる。撮影可能状態では電子カメラ記録再生装置１５０は電源が入り、操作釦１１〜１７は撮影姿勢における撮影に必要な各動作に対応して使用することのできる状態となる。
【００１９】
図５は、撮影姿勢における表示装置の拡大図を示している。操作釦１１〜１７の機能はそれぞれ”PHOTO SNAP”、”ZOOM OUT”、”ZOOM IN”、”FUNCTION”、”E.I.S”、”FADE”、”BACK LIGHT”であり、それぞれに対応した機能説明１０５が液晶画面１０２上に表示されている。被写体にレンズ１０１を向けると、液晶画面１０２上に被写体が映る。そこで、液晶画面１０２上の被写体を見ながら”FUNCTION”による液晶画面の明るさや画質の調節、”ZOOM OUT”、”ZOOM IN”による画像のズーム動作、”E.I.S”による画像の揺れの補正、”FADE”によるフェード撮影、”BACK LIGHT”による逆光補正、等の処理を行った上で、”PHOTO SNAP”を押すことにより、静止画を撮影する。
【００２０】
次に、図２、図３に示す撮影姿勢から、表示装置１０４を、表示装置１０４と本体装置１００の接続部を軸として半回転させて、液晶画面１０２が前方を向く状態にしてから、本体装置１００の方向にたたむと、表示装置１０４は図４の編集姿勢となり、電子カメラ記録再生装置１５０は編集可能状態となる。このとき操作釦１１〜１７は撮影姿勢における撮影に必要な各動作に対応して使用されるものから、編集姿勢における編集に必要な各動作に対応して使用することのできる状態となる。
【００２１】
図６は、編集姿勢における表示装置の拡大図である。操作釦１１〜１７の機能はそれぞれ、”FUNCTION”、”UP”、”DOWN”、”STOP”、”F.F”.、”PLAY”、”REW”であり、それぞれに対応した機能説明１０５が液晶画面１０２上に表示されている。”PLAY”による撮影データの画像の再生、”F.F.”による画像の早送り、”REW”による巻き戻し、”STOP”による停止の各操作釦に対応する各機能（動作）を、液晶画面１０２上に画像を表示しながら行って所望の画像の編集出力を行い、あるいは”FUNCTION”による、モザイク、ミラー、ワイプ、ミックス、セピア、モノトーン、キセキ、アート、コウカンドといった特殊効果の編集メニューを液晶画面１０２上に表示し、編集メニュ−から、”UP”、”DOWN”で選択したい特殊効果項目を選び、該選択した特殊効果を持つ再生画像を編集出力したりする。
【００２２】
次に表示装置の動作について説明する。
図３、図５に示すように、表示装置１０４が撮影姿勢にある場合には、表示装置１０４の向きは、本体装置１００の上下方向を基準として、表示装置１０４の図３、図５における左上位置に、操作釦１４（”FUNCTION”）が、上部の中央右寄りに左から順に操作釦１５、１６、１７（”E.I.S”、”FADE”、”BACK LIGHT”）が、左辺の中央下方寄りに、下から順に操作釦１１、１２、１３（”PHOTO SNAP”、”ZOOM OUT”、”ZOOM IN”）が配置される向きとなる。そして表示装置１０４のこの向きにおいて、液晶画面１０２上には、被写体がその頭部が上方にくるように表示され、また”FUNCTION”等の機能説明１０５が被写体の上下の向き同じ上下の向きに表示され、機能説明１０５の文字を正しく読めるものとなる。
【００２３】
次に、表示装置１０４を図３、図５に示す撮影姿勢から、上述した操作により図４、図６に示す編集姿勢にした場合は、表示装置１０４の向きは、本体装置１００の上下方向を基準として、表示装置１０４の、図４、図６における右下の位置に、操作釦１４（”STOP”）が、下部の中央左寄りに右から順に操作釦１５、１６、１７（”F.F”.、”PLAY”、”REW”）が配置され、右辺の中央上方寄りに上から順に操作釦１１、１２、１３（”FUNCTION”、”UP”、”DOWN”）が配置される向きとなる。そして、表示装置１０４のこの向きにおいて、液晶画面１０２上には、被写体がその頭部が上方にくるように表示され、また”FUNCTION”等の機能説明１０５が、被写体の上下の向きと同じ上下の向きに表示され、機能説明１０５の文字を正しく読めるものとなる。
【００２４】
このように、本実施の形態１による電子カメラ記録再生装置では、表示装置が収納姿勢、撮影姿勢、編集姿勢とを有し、前記表示装置が、前記収納姿勢，撮影姿勢，及び編集姿勢の各々の姿勢である時に、それぞれ電源オフ状態，撮影可能状態，あるいは編集可能状態にするモード切換手段とを備え、操作釦は、前記撮影姿勢、及び前記編集姿勢において、撮影に必要な各動作、編集に必要な各動作に対応して使用されるものであり、前記撮影姿勢と前記編集姿勢とのそれぞれの姿勢における前記操作釦の機能説明を、前記表示画面上に前記操作釦の位置に対応して表示するものとしたので、収納状態では取扱いが簡便であり、撮影、編集の操作が行いやすく好適である。また、モード切り換え操作が必要なくなり好適である。また、操作釦の数を増やすことなく編集機能を増やすことができ好適である。また、タッチパネルを設ける必要もなく好適である。また、撮影姿勢及び編集姿勢のどちらにおいても機能説明を読み取りやすく好適である。
【００２５】
（実施の形態２）
本実施の形態２による電子カメラ記録再生装置について、図を用いて説明する。なお、本実施の形態１で説明した部分については説明を省略する。
まず、本実施の形態２による電子カメラ記録再生装置の構成について図を用いて説明する。図８において、２００は電子カメラ記録再生装置、２０４は電子手帳のシステムデータを記憶しているメモリカード（外部記憶装置）、２０１はメモリカード２０４を搭載する搭載部（搭載手段）、２０２はメモリカード２０４が搭載部２０１に搭載されたことを認識する搭載認識部（搭載認識手段）、２０３はメモリカード２０４に記憶されたシステムデータを記憶するシステムメモリ（システムデータ記憶手段）である。
【００２６】
次に、本実施の形態２による電子カメラ記録再生装置の動作について図８を用いて説明する。操作者が、搭載部２０１に何も搭載していない場合は、搭載認識部２０２がそれを認識し、制御部１０８は、電子カメラ記録再生装置２００が電子カメラ記録再生装置として動作するよう表示部１０４等の各部を制御する。これにより、電子カメラ記録再生装置２００は当然電子カメラ記録再生装置として使用できる。
【００２７】
操作者が電子手帳のシステムデータを記憶したメモリカード２０４を搭載部２０１に搭載すると、搭載認識部２０２がメモリカード２０４を搭載したことを認識し、システムメモリ２０３がメモリカード２０４に記憶されたシステムデータを記憶する。制御部１０８はシステムメモリ２０３に記憶されたシステムデータに基づいて、電子カメラ記録再生装置２００が、電子手帳として動作するよう表示部１０４等の各部を制御する。これにより、電子カメラ記録再生装置２００は、電子手帳として使用することが可能となる。
【００２８】
なお、本実施の形態２による電子カメラ記録再生装置による外部記憶装置は、メモリカードとしたがこれ以外でも例えば、ＭＤ等を用いたり、もしくはパソコン等の外部機器よりシステムデータを送ることができるようにしても良い。また、電子手帳だけでなく電子カメラ記録再生装置の姿勢で、使用できるものであれば、例えばゲーム機器等のシステムデータを記憶した外部記憶装置を用いて、電子カメラ記録再生装置をゲーム機器として使用しても良い。
【００２９】
このように、本実施の形態２による電子カメラ記録再生装置によれば、他の機器のシステムデータを記憶した外部記憶装置を搭載する搭載手段と、前記外部記憶装置が前記搭載手段に搭載されたことを認識する搭載認識手段と、前記外部記憶装置に記憶されたシステムデータを記憶するシステムデータ記憶手段とを備えることとしたので、他の機器のシステムデータを記憶した外部記憶装置を搭載することにより電子カメラ記録再生装置を他の機器として使用することができるので好適である。
【００３０】
【発明の効果】
以上の通り、本発明の請求項１に記載の電子カメラ記録再生装置によれば、表示装置が本体装置に対して、収納姿勢、撮影姿勢、及び編集姿勢の複数の姿勢を取り得るので、収納状態では取扱いが簡便であり、撮影、編集の操作が行いやすく好適である。
【００３１】
また、前記表示装置が、どの姿勢であるかを認識する姿勢認識手段と、その姿勢に応じたモードに電子カメラ記録再生装置を切り換えるモード切換手段とを備え、表示装置の姿勢に応じてモードが切り換わるので、モード切り換え操作が必要なくなり好適である。
【００３２】
また、本発明の請求項２に記載の電子カメラ記録再生装置によれば、上記請求項１に記載の前記電子カメラ記録再生装置において、前記操作釦は、前記表示画面の周囲に複数配置されており、該複数の操作釦は、撮影に必要な各動作、編集に必要な各動作に対応して使用されるものとしたので、操作釦の数を増やすことなく編集機能を増やすことができ好適である。また、タッチパネルを設ける必要もなく好適である。
【００３３】
また、本発明の請求項３に記載の電子カメラ記録再生装置によれば、上記請求項２に記載の電子カメラ記録再生装置において、モード切換手段は、前記撮影姿勢と前記編集姿勢とのそれぞれの姿勢における前記操作釦の機能説明を前記表示画面上に前記操作釦の位置と対応し表示することとしたので、撮影姿勢及び編集姿勢のどちらにおいても機能説明を読み取りやすく好適である。
【００３４】
また、本発明の請求項４に記載の電子カメラ記録再生装置によれば、上記請求項３に記載の電子カメラ記録再生装置において、他の機器のシステムデータを記憶した外部記憶装置を搭載する搭載手段と、前記外部記憶装置が前記搭載手段に搭載されたことを認識する搭載認識手段と、前記外部記憶装置に記憶されたシステムデータを記憶するシステムデータ記憶手段とを備えることとしたので、他の機器のシステムデータを記憶した外部記憶装置を搭載することにより電子カメラ記録再生装置を他の機器として使用することができ好適である。
【図面の簡単な説明】
【図１】本実施の形態１による電子カメラ記録再生装置の収納姿勢を示す前方斜視図である。
【図２】本実施の形態１による電子カメラ記録再生装置の撮影姿勢を示す前方斜視図である。
【図３】本実施の形態１による電子カメラ記録再生装置の撮影姿勢を示す後方斜視図である。
【図４】本実施の形態１による電子カメラ記録再生装置の編集姿勢を示す側面投影図である。
【図５】図３に示す電子カメラ記録再生装置の表示装置の拡大図である。
【図６】図４に示す電子カメラ記録再生装置の表示装置の拡大図である。
【図７】本実施の形態１による電子カメラ記録再生装置の構成を示すブロック図である。
【図８】本実施の形態２による電子カメラ記録再生装置の構成を示すブロック図である。
【図９】従来の電子カメラ記録再生装置の構成を示す前方斜視図である。
【図１０】従来の電子カメラ記録再生装置の構成を示す後方斜視図である。
【符号の説明】
１１  操作釦
１２  操作釦
１３  操作釦
１４  操作釦
１５  操作釦
１６  操作釦
１７  操作釦
１００  本体装置
１０１  レンズ
１０２  液晶画面
１０４  表示装置
１０５  機能説明
１０６  姿勢認識部
１０７  モード切換部
１０８  制御部
１５０  電子カメラ記録再生装置
２００  電子カメラ記録再生装置
２０１  搭載部
２０２  搭載認識部
２０３  システムデータメモリ
２０４  メモリカード
３００  電子カメラ記録再生装置
３０１  レンズ
３０２  液晶画面
３０３  操作釦
【図１】
0004256037.tif 000002
【図２】
0004256037.tif 000003
【図３】
0004256037.tif 000004
【図４】
0004256037.tif 000005
【図５】
0004256037.tif 000006
【図６】
0004256037.tif 000007
【図７】
0004256037.tif 000008
【図８】
0004256037.tif 000009
【図９】
0004256037.tif 000010
【図１０】
0004256037.tif 000011